(57)【要約】【課題】アラームによる煩わしさを低減できる看護業務報知装置を提供する。【解決手段】看護業務の作業、作業者、及び作業予定時刻を関連付けて記憶する看護スケジュール記憶部から、作業者毎に、作業、及び作業予定時刻をグループ化して作業グループとして抽出する看護スケジュール抽出部と、看護スケジュール抽出部が抽出した作業グループのそれぞれにおいて、当該作業グループにおける最も遅い作業予定時刻を抽出する最終作業予定時刻抽出部と、看護スケジュール抽出部が抽出した作業グループの作業が、当該作業グループにおける最終作業予定時刻抽出部が抽出した最も遅い作業予定時刻から所定時間経過しても完了していないか否かを判定する作業完了判定部と、作業完了判定部が所定時間経過しても完了していないと判定した場合、当該作業グループの作業者に作業が完了していない旨を報知する報知部とを備える。【選択図】図１
2012008681.tif 000002
【特許請求の範囲】
【請求項１】
看護業務の作業、作業者、及び作業予定時刻を関連付けて記憶する看護スケジュール記憶部から、作業者毎に、作業、及び作業予定時刻をグループ化して作業グループとして抽出する看護スケジュール抽出部と、
前記看護スケジュール抽出部が抽出した作業グループのそれぞれにおいて、当該作業グループにおける最も遅い作業予定時刻を抽出する最終作業予定時刻抽出部と、
前記看護スケジュール抽出部が抽出した作業グループの作業が、当該作業グループにおける前記最終作業予定時刻抽出部が抽出した最も遅い作業予定時刻から所定時間経過しても完了していないか否かを判定する作業完了判定部と、
前記作業完了判定部が所定時間経過しても完了していないと判定した場合、当該作業グループの作業者に作業が完了していない旨を報知する報知部とを備える、看護業務報知装置。
【請求項２】
前記報知部は、
前記作業完了判定部が完了していないと判定した作業グループについて、作業が完了していない旨のテキスト情報を生成するアラーム内容生成部と、
前記作業グループの作業者の端末に、前記アラーム内容生成部が生成したテキスト情報を送信して、当該テキスト情報の示すテキストを当該端末で表示させるアラーム情報送信部とを更に含む、請求項１に記載の看護業務報知装置。
【請求項３】
前記報知部は、
前記作業完了判定部が完了していないと判定した作業グループについて、作業が完了していない旨の振動パターンの情報を生成するアラーム内容生成部と、
前記作業グループの作業者の端末に、前記アラーム内容生成部が生成した振動パターンの情報を送信して、当該振動パターンで当該端末を振動させるアラーム情報送信部とを更に含む、請求項１に記載の看護業務報知装置。
【請求項４】
前記報知部は、
前記作業完了判定部が完了していないと判定した作業グループについて、作業が完了していない旨の音声パターンの情報を生成するアラーム内容生成部と、
前記作業グループの作業者の端末に、前記アラーム内容生成部が生成した音声パターンの情報を送信して、当該音声パターンの示す音声を当該端末に出力させるアラーム情報送信部とを更に含む、請求項１に記載の看護業務報知装置。
【請求項５】
看護業務の作業、作業者、及び作業予定時刻を関連付けて記憶する看護スケジュール記憶部から、作業者毎に、作業、及び作業予定時刻をグループ化して作業グループとして抽出する看護スケジュール抽出ステップと、
前記看護スケジュール抽出ステップで抽出した作業グループのそれぞれにおいて、当該作業グループにおける最も遅い作業予定時刻を抽出する最終作業予定時刻抽出ステップと、
前記看護スケジュール抽出ステップで抽出した作業グループの作業が、当該作業グループにおける前記最終作業予定時刻抽出ステップで抽出した最も遅い作業予定時刻から所定時間経過しても完了していないか否かを判定する作業完了判定ステップと、
前記作業完了判定ステップで所定時間経過しても完了していないと判定した場合、当該作業グループの作業者に作業が完了していない旨を報知する報知ステップとを備える、看護業務報知方法。
【請求項６】
コンピュータに、
看護業務の作業、作業者、及び作業予定時刻を関連付けて記憶する看護スケジュール記憶部から、作業者毎に、作業、及び作業予定時刻をグループ化して作業グループとして抽出する看護スケジュール抽出ステップと、
前記看護スケジュール抽出ステップで抽出した作業グループのそれぞれにおいて、当該作業グループにおける最も遅い作業予定時刻を抽出する最終作業予定時刻抽出ステップと、
前記看護スケジュール抽出ステップで抽出した作業グループの作業が、当該作業グループにおける前記最終作業予定時刻抽出ステップで抽出した最も遅い作業予定時刻から所定時間経過しても完了していないか否かを判定する作業完了判定ステップと、
前記作業完了判定ステップで所定時間経過しても完了していないと判定した場合、当該作業グループの作業者に作業が完了していない旨を報知する報知ステップとを実行させる、看護業務報知プログラム。
【発明の詳細な説明】
【技術分野】
【０００１】
本発明は、作業が完了していない看護業務を看護師に報知する技術に関する。
【背景技術】
【０００２】
従来、患者毎の投薬スケジュールを基に、投薬の予定時刻を抽出し、予定時刻から所定時間経過しても投薬が完了していない場合、アラームを発する技術が開示されている（例えば、特許文献１参照）。
【先行技術文献】
【特許文献】
【０００３】
【特許文献１】特開２００４−１０３００１号公報
【発明の概要】
【発明が解決しようとする課題】
【０００４】
しかしながら、上記従来の技術では、通常、看護師は複数の患者を担当しているため、同じようなアラームが患者毎に連続して上がると、混乱を招いてミスを誘発したりする等、煩わしい場合がある。
【０００５】
そこで、本発明では、アラームによる煩わしさを低減できる看護業務報知装置、看護業務報知方法、及び看護業務報知プログラムを提供することを目的とする。
【課題を解決するための手段】
【０００６】
上記目的を達成するために、本発明は、看護業務の作業、作業者、及び作業予定時刻を関連付けて記憶する看護スケジュール記憶部から、作業者毎に、作業、及び作業予定時刻をグループ化して作業グループとして抽出する看護スケジュール抽出部と、看護スケジュール抽出部が抽出した作業グループのそれぞれにおいて、当該作業グループにおける最も遅い作業予定時刻を抽出する最終作業予定時刻抽出部と、看護スケジュール抽出部が抽出した作業グループの作業が、当該作業グループにおける最終作業予定時刻抽出部が抽出した最も遅い作業予定時刻から所定時間経過しても完了していないか否かを判定する作業完了判定部と、作業完了判定部が所定時間経過しても完了していないと判定した場合、当該作業グループの作業者に作業が完了していない旨を報知する報知部とを備える。
【発明の効果】
【０００７】
上記の構成によれば、アラームによる煩わしさを低減できる看護業務報知装置、看護業務報知方法、及び看護業務報知プログラムを提供することができる。
【図面の簡単な説明】
【０００８】
【図１】本発明の実施形態１に係る看護業務報知装置の含むシステム構成の一例を示すブロック図
【図２】本発明の実施形態１に係る看護業務報知装置の動作の一例を示すフロー図
【図３】看護スケジュールテーブルの一例を示す図
【図４】看護スケジュールテーブルのデータ修正の一例を示す図
【図５】看護スケジュールテーブルのデータ削除の一例を示す図
【図６】作業グループ管理テーブルの一例を示す図
【図７】アラームの表示例を示す図
【発明を実施するための形態】
【０００９】
[実施形態]
図１は、本発明の実施形態に係る看護業務報知装置１００を含むシステム構成の一例を示すブロック図である。図１において、看護業務報知装置１００は、看護スケジュールテーブル１１０（看護スケジュール記憶部）、看護スケジュール抽出部１２０、最終作業予定時刻抽出部１３０、作業グループ管理テーブル１４０、作業完了判定部１５０、及び報知部１６０を備える。
【００１０】
また、看護業務報知装置１００は、作業者の携帯型の端末２０と無線で通信可能であり、管理者の端末３０と有線で通信可能となっている。端末２０は、例えば、ＰＨＳ、携帯電話、ＰＤＡ、ポケットベル等のようにユーザインタフェースを備えた携帯型のコンピュータ機器を用いることができる。端末３０は、例えば、ＰＣ等とすることができる。
【００１１】
看護スケジュールテーブル１１０は、看護のスケジュールを記憶したテーブルである。看護スケジュールテーブル１１０は、看護スケジュールとして、例えば、図３に示すように、「スケジュールＮｏ」、「版数」、「削除フラグ」、「患者ＩＤ」、「作業ＩＤ」、「作業名」、「作業者ＩＤ」、「作業予定日時」、「使用システムＩＤ」、「使用システム名」、「状態」の項目を含む作業レコードを格納している。なお、「使用システムＩＤ」「使用システム名」は、各作業が行われる際に使用されるシステムのＩＤ、名称である。
【００１２】
看護スケジュールテーブル１１０のデータは、例えば、管理者、医師または看護師が端末３０または端末２０を介して手入力されるものであってもよいし、各作業が行われる際に使用される他のシステム（例えば、移動オーダシステム、患者スケジュールシステム等）から取得されてもよい。看護スケジュールテーブル１１０は、実際の作業の指示に修正があった場合や、作業の指示が無くなった場合に、例えば管理者が端末３０に情報を入力することにより、作業レコードのデータが修正されたり、削除されたりする。
【００１３】
例えば、医師から看護師への実際の作業の指示に修正があった場合の管理者が行うデータ処理について説明する。例えば、図４（ａ）に示すように、「スケジュールＮｏ」が「Ｓ００２」の作業レコードについて、作業が完了していなくて更新がなされる場合、管理者は、例えば、オンライン処理により、以下の処理を行う。管理者は、端末３０を介して、「スケジュールＮｏ＝Ｓ００２」「版数＝１」「状態＝未完了」の作業レコードの「削除フラグ」に１を立てるデータ処理を行うことができる。そして、管理者は、「スケジュールＮｏ＝Ｓ００２」「版数＝２」「状態＝未完了」の新しい作業レコードを追加するデータ処理を行うことができる。
【００１４】
また、図４（ｂ）に示すように、「スケジュールＮｏ」が「Ｓ００２」の作業レコードについて、作業が完了していて更新がなされる場合、管理者は、例えば、オンライン処理により、以下の処理を行う。管理者は、「スケジュールＮｏ＝Ｓ００２」「版数＝１」「状態＝完了」の作業レコードの「削除フラグ」に１を立てるデータ処理を行うことができる。そして、管理者は、「スケジュールＮｏ＝Ｓ００２」「版数＝２」「状態＝未完了」の新しい作業レコードを追加するデータ処理を行うことができる。
【００１５】
また、医師から看護師への実際の作業の指示が無くなった場合の管理者が行うデータ処理の例について説明する。例えば、図５（ａ）に示すように、「スケジュールＮｏ」が「Ｓ００２」の作業レコードについて、作業が完了していないくて削除がなされる場合、管理者は、例えば、オンライン処理により、「スケジュールＮｏ＝Ｓ００２」「版数＝１」「状態＝未完了」の作業レコードの「削除フラグ」に１を立てるデータ処理を行うことができる。これにより、削除フラグが立っているレコードは無視して取り扱われる。
【００１６】
また、図５（ｂ）に示すように、「スケジュールＮｏ」が「Ｓ００２」の作業レコードについて、作業が完了していて削除がなされる場合、管理者は、例えば、オンライン処理により、「スケジュールＮｏ＝Ｓ００２」「版数＝１」「状態＝完了」の作業レコードの「削除フラグ」に１を立てるデータ処理を行うことができる。これにより、削除フラグが立っているレコードは存在しないものとして取り扱われる。なお、例えば、バッチ処理により、削除フラグが立っている作業レコードを一括して削除する処理を周期的に実行することができる。
【００１７】
看護スケジュール抽出部１２０は、看護スケジュールテーブル１１０から、作業者毎に、作業、及び作業予定時刻をグループ化して作業グループとして抽出する。看護スケジュール抽出部１２０は、作業が未完了の作業レコードを抽出することができる。例えば、看護スケジュール抽出部１２０は、看護スケジュールテーブル１１０から、「状態」の項目の情報を参照し、「状態」が未完了の作業レコードを抽出することができる。そして、看護スケジュール抽出部１２０は、抽出した作業レコードを作業者毎にグループ化して、作業グループ毎に、未完了の作業レコードを抽出することができる。例えば、看護スケジュール抽出部１２０は、抽出した作業レコードを「作業者ＩＤ」の項目の情報をキーにしてグループ化し、作業グループとして編集して抽出することができる。
【００１８】
最終作業予定時刻抽出部１３０は、看護スケジュール抽出部１２０が抽出した作業グループのそれぞれにおいて、当該作業グループにおける最も遅い作業予定時刻を抽出する。最終作業予定時刻抽出部１３０は、看護スケジュール抽出部１２０が抽出した作業グループのそれぞれにおいて、当該作業グループにおける各作業の作業予定時刻に基づき、最も遅い作業予定時刻を抽出することができる。最終作業予定抽出部１３０は、例えば、看護スケジュール抽出部１２０が抽出した各作業グループにおける各作業の「作業予定日時」の項目の情報を参照し、当該作業グループにおける最も遅い作業予定時刻を抽出することができる。
【００１９】
作業グループ管理テーブル１４０は、看護スケジュール抽出部１２０が抽出し、作業者毎にグループ化した作業レコードを作業グループとして抽出したものを記憶するテーブルである。例えば、作業グループ管理テーブル１４０は、看護スケジュール抽出部１２０が抽出し、「作業者ＩＤ」をキーにしてグループ化した作業レコードを作業グループレコードとして格納することができる。作業グループ管理テーブル１４０は、例えば、図６に示すように、「グループＮｏ」、「作業者ＩＤ」、「使用システムＩＤ」、「スケジュールＮｏ」、「版数」、「作業予定日時」の項目を含む作業グループレコードを格納できる。なお、看護業務の作業データや作業グループのデータは、上記したテーブル形式で格納されるものに限られない。
【００２０】
作業完了判定部１５０は、看護スケジュール抽出部１２０が抽出した作業グループの作業が、当該作業グループにおける最終作業予定時刻抽出部１３０が抽出した最も遅い作業予定時刻から所定時間経過しても完了していないか否かを判定する。作業完了判定部１５０は、例えば、現在時刻が、看護スケジュール抽出部１２０が抽出した作業グループの最終作業予定時刻よりも所定時間経過しているか否か判定する。所定時間経過していると判定された場合、当該作業グループにおける作業が完了していないと判定することができる。
【００２１】
報知部１６０は、アラーム内容生成部１６１、及びアラーム情報送信部１６２を含む。アラーム内容生成部１６１は、例えば、作業完了判定部１５０が当該作業グループにおける作業が完了していないと判定したときに、当該作業グループの作業が完了していない旨のテキスト情報を生成することができる。アラーム情報送信部１６２は、例えば、当該作業グループの作業者の端末２０に、アラーム内容生成部１６１が生成したテキスト情報を送信して、当該テキスト情報の示すテキストを当該端末２０で表示させることができる。
【００２２】
表示させるテキストには、例えば、作業名、作業予定時刻、作業予定時刻からの経過時間等が含まれる。例えば、当該作業グループの作業レコードのうち、「状態」＝「未完了」の作業レコードの「作業名」、「作業予定日時」のデータを抽出して、テキスト情報に含めることができる。
【００２３】
これにより、作業が完了していない旨のテキストを表示して、作業者にわかりやすく報知できる。なお、報知部１６０のアラーム内容生成部１６１、及びアラーム情報送信部１６２の構成は、上記したものに限らない。
【００２４】
例えば、アラーム内容生成部１６１は、作業完了判定部１５０が当該作業グループにおける作業が完了していないと判定したときに、当該作業グループの作業が完了していない旨の振動パターンの情報を生成し、アラーム情報送信部１６２は、当該作業グループの作業者の端末２０に、アラーム内容生成部１６１が生成した振動パターンの情報を送信して、当該振動パターンで当該端末２０を振動させる構成とすることができる。例えば、振動のパターンが予め１つ決まっていてもよい。また、完了していない作業の数によって振動パターンを変えたりできる。また、作業予定時刻からの経過時間によって振動パターンを変えたりすることができる。これにより、作業が完了していない旨の振動パターンで端末２０を振動させて、作業者にわかりやすく報知できる。
【００２５】
また、例えば、アラーム内容生成部１６１は、作業完了判定部１５０が当該作業グループにおける作業が完了していないと判定したときに、作業が完了していない旨の音声パターンの情報を生成し、アラーム情報送信部１６２は、当該作業グループの作業者の端末２０に、アラーム内容生成部１６１が生成した音声パターンの情報を送信して、当該音声パターンの示す音声を当該端末２０に出力させる構成とすることができる。例えば、出力音声のパターンが予め１つ決まっていてもよい。また、記憶部に予め格納されている音声パターンから、完了していない作業の数によって音声パターンを決めることができる。また、記憶部に予め格納されている音声パターンから、作業予定時刻からの経過時間によって音声パターンを決めたりすることができる。また、「状態」＝未完了の作業レコードの「作業名」「作業予定日時」のデータを用いて音声合成を実行し、これらを読み上げる音声パターン生成することもできる。これにより、作業が完了していない旨の音声を出力して、作業者にわかりやすく報知できる。
【００２６】
その他、作業者の端末２０の着信音を作業が完了していない旨を示す着信音に変えて報知する構成も用いることができる。また、作業者の端末２０には、ＰＨＳ、携帯電話、ＰＤＡ、ポケットベル等を好適に用いることができる。なお、端末２０とアラーム情報送信部１６２との通信は、有線通信であってもよいし、無線通信であってもよい。
【００２７】
以下、本発明の実施形態に係る看護業務報知装置１００の動作について、図２のフロー図にしたがって説明する。
【００２８】
まず、看護スケジュール抽出部１２０は、作業グループ管理テーブル１４０を初期化する（ステップＳ２０１）。
【００２９】
次に、看護スケジュール抽出部１２０は、看護スケジュールテーブル１１０から、「状態」の項目の情報を参照し、作業が未完了の作業レコードを抽出する（ステップＳ２０２）。
【００３０】
次に、看護スケジュール抽出部１２０は、抽出した作業レコードを「作業者ＩＤ」をキーにしてグループ化した作業グループを抽出して作業グループ管理テーブル１４０に格納する（ステップＳ２０３）。
【００３１】
次に、最終作業予定抽出部１３０は、作業グループ管理テーブル１４０の各作業グループにおける各作業の「作業予定日時」の項目の情報を参照し、当該作業グループにおける最も遅い作業予定時刻を抽出する（ステップＳ２０４）。
【００３２】
次に、作業完了判定部１５０は、作業グループ管理テーブル１４０の各作業グループの作業が、最終作業予定時刻抽出部１３０が抽出した当該作業グループにおける最も遅い作業予定時刻から所定時間経過しても完了していないか否かを判定する（ステップＳ２０５）。
【００３３】
次に、アラーム内容生成部１６１は、完了していないと判定された該当作業グループについて、当該作業グループの作業が完了していない旨のテキスト情報を生成する（ステップＳ２０６）。
【００３４】
そして、アラーム情報送信部１６２は、完了していないと判定された該当作業グループの作業者の端末２０にアラーム情報を送信して、当該テキスト情報の示すテキストを、例えば、図７に示すように、当該端末２０で表示させる（ステップＳ２０７）。
【００３５】
このステップＳ２０４〜Ｓ２０７の処理は作業グループ毎に繰り返される。また、ステップＳ２０１〜Ｓ２０７の処理は、所定の周期で実行することができる。あるいは、ステップＳ２０１〜Ｓ２０７の処理は、看護スケジュールテーブルの更新の度におこなわれてもよい。
【００３６】
以上説明したように、本実施形態によれば、各作業グループの最終予定時刻を抽出し、現在時刻が作業グループ毎の最終作業予定時刻より所定時間経過したか否かに基づいて、当該作業グループの作業が完了していないか否かを判断する。これにより、作業グループ単位でまとめてアラームを発することができる。このように、作業グループ単位でまとめてアラームを発することで、アラームによる煩わしさを低減できる看護業務報知装置を提供することができる。
【００３７】
上記実施形態で説明した構成は、単に具体例を示すものであり、本発明の技術的範囲を制限するものではない。本発明の効果を奏する範囲において、任意の構成を採用することが可能である。例えば、上記実施の形態では、看護師の看護業務に本発明を適用した例を示したが、看護師に限らず、医師の医療業務に本発明を適用しても好適に実施できる。また、看護スケジュールテーブル１１０、作業グループ管理テーブル１４０が看護業務報知装置１００に備えられる構成を説明したが、この構成に限らない。例えば、看護スケジュール管理テーブル１１０、作業グループ管理テーブル１４０の双方が看護業務報知装置１００に接続された外部のサーバに設けられていてもよいし、いずれか一方が看護業務報知装置１００に接続された外部のサーバに設けられていてもよい。
【００３８】
なお、本発明の実施形態は、上述した実施形態を実現するソフトウェアのプログラム（実施の形態では図２に示すフロー図に対応したプログラム）が装置に供給され、その装置のコンピュータが、供給されたプログラムを読出して、実行することによっても達成される場合を含む。したがって、本実施形態で説明した機能処理をコンピュータで実現するために、コンピュータにインストールされるプログラム自体も本発明の一実施形態である。つまり、本実施形態に示す機能ブロックは、ＣＰＵが所定のプログラムを実行することにより実現される。また、本実施形態の機能処理を実現させるためのプログラムを記録した媒体も、実施形態の一側面に含まれる。
【符号の説明】
【００３９】
１００  看護業務報知装置
１１０  看護スケジュールテーブル
１２０  看護スケジュール抽出部
１３０  最終作業予定時刻抽出部
１４０  作業グループ管理テーブル
１５０  作業完了判定部
１６０  報知部
１６１  アラーム内容生成部
１６２  アラーム情報送信部
【図１】
2012008681.tif 000003
【図２】
2012008681.tif 000004
【図３】
2012008681.tif 000005
【図４】
2012008681.tif 000006
【図５】
2012008681.tif 000007
【図６】
2012008681.tif 000008
【図７】
2012008681.tif 000009